(57)【要約】【課題】蛍光インクや白色インクなどのブラックボード用ペンでの記入と消去が可能なブラックボードカレンダーを実現する。【解決手段】ブラックボードカレンダー１００のカレンダー用紙２０の表面は、蛍光インクや白色インクなどのブラックボード用ペンＰでの記入と消去を繰り返し行うことができるようになっているので、行動予定やメモなどを鮮やかな蛍光インクで装飾性よく記入することや、白黒反転した文字による書き込みを好適に行うことができる。特に、カレンダー用紙２０が配設されているカレンダー台紙としてのベース体１０に、ブラックボード用ペンＰを収納可能な収納部１６が設けられているので、その収納部１６にブラックボード用ペンＰを収納しておけば、カレンダー用紙２０に行動予定やメモなどを記入する際に、ブラックボード用ペンＰを速やかに取り出して使うことができる。【選択図】図１
2018192683.tif 000002
【特許請求の範囲】
【請求項１】
暦に関する情報が略黒地に黒色以外の文字で記載されている複数枚のカレンダー用紙と、前記カレンダー用紙が配設されているカレンダー台紙と、を備え、
前記カレンダー用紙における前記暦に関する情報が記載されている表面が、ブラックボード用ペンによる記入と消去が可能な平滑な筆記面に形成されており、
前記カレンダー台紙には、前記ブラックボード用ペンを収納可能な収納部が設けられていることを特徴とするブラックボードカレンダー。
【請求項２】
前記カレンダー用紙における裏面が、ブラックボード用ペンによる記入と消去が可能な平滑な筆記面に形成されていることを特徴とする請求項１に記載のブラックボードカレンダー。
【請求項３】
前記複数枚のカレンダー用紙の、一のカレンダー用紙の表面と他のカレンダー用紙の裏面を並べて配置可能に構成されていることを特徴とする請求項２に記載のブラックボードカレンダー。
【請求項４】
前記収納部は、前記カレンダー台紙の一部が折り曲げられて形成されていることを特徴とする請求項１〜３のいずれか一項に記載のブラックボードカレンダー。
【発明の詳細な説明】
【技術分野】
【０００１】
本発明は、蛍光インクや白色インクなどのブラックボード用ペンでの記入と消去が可能なブラックボードカレンダーに関する。
【背景技術】
【０００２】
従来、カレンダーの日付欄とは別にホワイトボードを備えたホワイトボード付きカレンダーが知られている（例えば、特許文献１参照。）。
このホワイトボード付きカレンダーであれば、日付欄の大きさなどを気にせずに、行動予定やメモ、伝言などを記入することができ、用件が終われば拭き取るなどして消去し、繰り返し使うことができる。
【先行技術文献】
【特許文献】
【０００３】
【特許文献１】特開平１０−３５１４１号公報
【発明の概要】
【発明が解決しようとする課題】
【０００４】
ところで、近時、弱視や老眼の人は、白い紙や白い板面をまぶしく感じてしまうため、白黒反転した文字の方が見やすいということが周知されつつあり、黒地に白文字を表記するようにしたリーフレットなどが作製されることがある。
また、趣向性やデザイン性を向上させるために、黒地に蛍光色や白色の文字を表記するようにしたリーフレットなども作製されることがある。
【０００５】
本発明者らは上記事情を鑑み、趣向性に富んだカレンダーであるとともにユニバーサルデザインの観点からも優れたカレンダーであって、行動予定やメモなどの記入と消去が可能なカレンダーを実現するに至った。
【０００６】
本発明の目的は、蛍光インクや白色インクなどのブラックボード用ペンでの記入と消去が可能なブラックボードカレンダーを提供することである。
【課題を解決するための手段】
【０００７】
以上の課題を解決するため、請求項１に記載の発明は、ブラックボードカレンダーであって、
暦に関する情報が略黒地に黒色以外の文字で記載されている複数枚のカレンダー用紙と、前記カレンダー用紙が配設されているカレンダー台紙と、を備え、
前記カレンダー用紙における前記暦に関する情報が記載されている表面が、ブラックボード用ペンによる記入と消去が可能な平滑な筆記面に形成されており、
前記カレンダー台紙には、前記ブラックボード用ペンを収納可能な収納部が設けられていることを特徴とする。
なお、ここでいう「暦に関する情報が略黒地に黒色以外の文字で記載されている」カレンダー用紙とは、「略黒地に黒色よりも明度の高い色の文字で記載されている」カレンダー用紙のことであり、略黒色の下地に記載されている文字を認識できるのであれば、文字の色は任意の色であってよい。
【０００８】
請求項１に記載の発明によれば、カレンダー用紙の表面は、蛍光インクや白色インクなどのブラックボード用ペンでの記入と消去を繰り返し行うことができるようになっているので、行動予定やメモなどを鮮やかな蛍光インクで装飾性よく記入することや、白黒反転した文字による書き込みを好適に行うことができる。
特に、カレンダー用紙が配設されているカレンダー台紙に、ブラックボード用ペンを収納可能な収納部が設けられているので、その収納部にブラックボード用ペンを収納しておけば、カレンダー用紙に行動予定やメモなどを記入する際に、ブラックボード用ペンを速やかに取り出して使うことができる。
【０００９】
請求項２に記載の発明は、請求項１に記載のブラックボードカレンダーにおいて、
前記カレンダー用紙における裏面が、ブラックボード用ペンによる記入と消去が可能な平滑な筆記面に形成されていることを特徴とする。
【００１０】
請求項２に記載の発明によれば、カレンダー用紙の裏面は、蛍光インクや白色インクなどのブラックボード用ペンでの記入と消去を繰り返し行うことができるようになっているので、カレンダー用紙の裏面に、表面には書ききれない行動予定の詳細などを記入したり、カレンダー用紙の裏面を伝言板として使用し、メッセージなどを記入したりすることができる。
勿論、このカレンダー用紙の裏面にも、行動予定やメモ、メッセージなどを鮮やかな蛍光インクで装飾性よく記入することや、白黒反転した文字による書き込みを好適に行うことができる。
【００１１】
請求項３に記載の発明は、請求項２に記載のブラックボードカレンダーにおいて、
前記複数枚のカレンダー用紙の、一のカレンダー用紙の表面と他のカレンダー用紙の裏面を並べて配置可能に構成されていることを特徴とする。
【００１２】
請求項３に記載の発明によれば、並べて配置した一のカレンダー用紙の表面と他のカレンダー用紙の裏面に関連するメモなどを記入することができるので、例えば、カレンダー用紙の表面の日付欄に書ききれないことを、カレンダー用紙の裏面に書き込むことができる。
【００１３】
請求項４に記載の発明は、請求項１〜３のいずれか一項に記載のブラックボードカレンダーにおいて、
前記収納部は、前記カレンダー台紙の一部が折り曲げられて形成されていることを特徴とする。
【００１４】
請求項４に記載の発明によれば、カレンダーの部品点数を増やすことなく収納部を設けることができるので、カレンダーの製造コストの削減を図ることが可能になる。
【発明の効果】
【００１５】
本発明によれば、蛍光インクや白色インクなどのブラックボード用ペンでの記入と消去が可能なブラックボードカレンダーが得られる。
【図面の簡単な説明】
【００１６】
【図１】実施形態１のブラックボードカレンダーの前面側を示す斜視図である。
【図２】実施形態１のブラックボードカレンダーの背面側を示す斜視図である。
【図３】実施形態１のブラックボードカレンダーを示す側面図である。
【図４】実施形態１のブラックボードカレンダーを折り畳んだ状態を示す側面図である。
【図５】実施形態１のブラックボードカレンダーのベース体の展開図である。
【図６】実施形態１のブラックボードカレンダーの使用例を示す説明図である。
【図７】実施形態２のブラックボードカレンダーを示す正面図（ａ）（ｂ）である。
【図８】実施形態２のブラックボードカレンダーを示す正面図である。
【図９】実施形態２のブラックボードカレンダーを示す正面図である。
【発明を実施するための形態】
【００１７】
以下、図面を参照して、本発明に係るブラックボードカレンダーの実施形態について詳細に説明する。但し、以下に述べる実施形態には、本発明を実施するために技術的に好ましい種々の限定が付されているが、本発明の範囲を以下の実施形態及び図示例に限定するものではない。
本実施形態のブラックボードカレンダーは、暦に関する情報が略黒地に黒色以外の文字で記載されている複数枚のカレンダー用紙と、そのカレンダー用紙が配設されているカレンダー台紙とを備え、略黒地のカレンダー用紙がブラックボードとしての機能を有しており、ブラックボード用ペン（ブラックボードマーカー）による記入と消去を繰り返し行うことができるカレンダーである。
【００１８】
（実施形態１）
図１は、実施形態１のブラックボードカレンダー１００の前面側を示す斜視図であり、図２は、そのブラックボードカレンダー１００の背面側を示す斜視図である。
図３は、ブラックボードカレンダー１００の側面図であり、図４は、ブラックボードカレンダー１００を折り畳んだ側面図である。
【００１９】
実施形態１のブラックボードカレンダー１００は、卓上タイプのカレンダーであり、例えば、図１に示すように、上縁側に複数の孔Ｈが形成されているカレンダー台紙としてのベース体１０と、一辺側に複数の孔Ｈが形成されている複数枚のカレンダー用紙２０とを備え、そのベース体１０と複数枚のカレンダー用紙２０がそれぞれの孔Ｈを貫く綴じ具３０によって綴じられている。
【００２０】
ベース体１０は、例えば、図５に示すようなカレンダー台紙であって、所定箇所に切欠き（切り込み）が設けられている硬質紙（厚台紙）を、例えば、側面視略「４」字形状を呈するような略三角形状に折り曲げて形成した部材である。本実施形態では、黒色の硬質紙を用いて、ベース体１０を形成した。
ベース体１０は、前面部１２と背面部１３と底面部１４と姿勢安定部１５と収納部１６等を有している。
前面部１２と背面部１３は互いの上縁を突き合わした配置になっており、底面部１４は前面部１２の下縁と背面部１３の下縁とを繋ぐ配置になっている。この底面部１４は、前面部１２と一体の部分と背面部１３と一体の部分とが重なった構造になっている。
【００２１】
具体的に、前面部１２と背面部１３の境と、前面部１２の下端で硬質紙が山折りされている。また、背面部１３の下端で硬質紙が谷折りされ、その谷折り箇所よりも先で硬質紙が山折りされて折り返されている。この折り返し部分で硬質紙が二重になるように接着されている。この折り返し部分の接着箇所が姿勢安定部１５となる。つまり、姿勢安定部１５は、背面部１３と底面部１４の間の硬質紙を二重に接着して形成されている。
また、山折りされた状態で前面部１２と一体になっている硬質紙の一部が底面部１４となり、谷折りされた状態で姿勢安定部１５を介して背面部１３と一体になっている硬質紙の一部が底面部１４となる。なお、背面部１３側の底面部１４には、谷折り状の折り目１４Ｌが形成されている。
【００２２】
また、前面部１２側の底面部１４には、前面部１２と底面部１４の境の折り目と直交する向きに、山折り状の２本の折り目１６Ｌが形成されている（図５参照）。この折り目１６Ｌで硬質紙が山折りされて折り曲げられており、その折り起こされた一対の側面部１６Ｍと前面部１２と背面部１３とによって収納部１６が形成されている。
つまり、収納部１６は、底面部１４を底面とし、一対の側面部１６Ｍと前面部１２と背面部１３とによって囲われた収納空間を有する箱状に形成されている。
このベース体１０の収納部１６には、ブラックボード用ペンＰを収納可能になっている（図６参照）。
なお、左右一対の側面部１６Ｍは、前面部１２と背面部１３とに垂直向きに当接しており、この一対の側面部１６Ｍをベース体１０の補強部材として機能させることができるので、梁のように機能する一対の側面部１６Ｍによってベース体１０の歪みを生じ難くすることができる。
【００２３】
そして、前面部１２側の底面部１４であって前面部１２下端寄りの底面部１４の一部と、背面部１３側の底面部１４であって折り目１４Ｌよりも先の自由端側の底面部１４の一部とが接着されている（図４参照）。
【００２４】
また、前面部１２側の底面部１４の端部には凸片１４ａが形成されており、その凸片１４ａを背面部１３の係止スリット１３ａに挿し込むように係止して、ベース体１０が組み立てられている。
また、前面部１２側の底面部１４と一体の一対の側面部１６Ｍには凸片１６ａが形成されており、その凸片１６ａを背面部１３の係止孔１３ｂに挿し込むように係止して、収納部１６を形成しつつベース体１０が組み立てられている。
このベース体１０が組み立てられた状態で、背面部１３は底面部１４に対し垂直に立設されている。また、姿勢安定部１５は底面部１４と面一に延在し、背面部１３に対し垂直に設けられている。換言すれば、底面部１４と姿勢安定部１５との境界において、背面部１３は底面部１４と姿勢安定部１５に対し垂直に立設されている。
【００２５】
背面部１３の係止スリット１３ａは、背面部１３が底面部１４と接する位置に設けられている。
具体的に、係止スリット１３ａは、背面部１３が底面部１４と接する位置に略Ｈ字形状の切り込みを形成して設けられている。
この係止スリット１３ａは、凸片１４ａの厚みに相当する隙間を有しており、係止スリット１３ａに凸片１４ａを好適に挿し込むことが可能になっている。
また、係止スリット１３ａの上部には撓ませることができる可撓片１３ｃが形成されているので、係止スリット１３ａに凸片１４ａを挿し込んだり、係止スリット１３ａから凸片１４ａを外したりし易くなっている。
【００２６】
そして、図４に示すように、背面部１３の係止孔１３ｂから側面部１６Ｍの凸片１６ａを外すとともに、背面部１３の係止スリット１３ａから底面部１４の凸片１４ａを外した状態で、凸片１６ａと凸片１４ａを綴じ具３０側に向けつつ、底面部１４の折り目１４Ｌを谷折りするようにして、ベース体１０（ブラックボードカレンダー１００）を折り畳むことができる。
【００２７】
カレンダー用紙２０は、例えば少なくとも一方の面に暦の情報が印刷されている洋紙である。
特に、このカレンダー用紙２０の表面には、暦に関する情報が黒地に白色の文字で記載されている。
本実施形態では、黒色の洋紙に白色の文字で暦の情報を印刷したり、白色の洋紙に文字を白抜きして余白を黒色に塗りつぶすように暦の情報を印刷したりして、黒地に白文字が表記されているカレンダー用紙２０を作製した。
なお、カレンダー用紙２０は黒地に白色の文字が表記されているものに限らず、紺色の洋紙に白色の文字が印刷されていたり、モズグリーン色の洋紙に白色の文字が印刷されていたりしてもよい。つまり、明度が低く暗い色の下地（洋紙）に、明度が高く明るい色の文字が記載されているカレンダー用紙２０であればよい。
【００２８】
さらに、このカレンダー用紙２０の表面は、ブラックボード用ペンによる記入と消去が可能な平滑な筆記面として形成されている。
具体的には、カレンダー用紙２０の表面にＰＰ加工（グロスＰＰ加工）を施して、カレンダー用紙２０の紙面に平滑性を付与し、そのカレンダー用紙２０の表面をブラックボード用ペンによる記入と消去が繰り返し可能な筆記面に形成した。
ＰＰ加工（Poly-Propylene加工）はラミネート加工の一種であり、紙にポリエチレンフィルム（Poly-Propylene Film）を圧着し、紙面に平滑性や光沢感を付与する公知の加工であるので、ここでは詳述しない。
なお、本実施形態では、カレンダー用紙２０の両面にＰＰ加工（グロスＰＰ加工）を施し、カレンダー用紙２０の裏面もブラックボード用ペンによる記入と消去が繰り返し可能な平滑な筆記面に形成した。
【００２９】
このような複数枚のカレンダー用紙２０はリング状の綴じ具３０によってベース体１０に綴じられており、そのカレンダー用紙２０が１枚ずつ回動されて、ベース体１０の前面部１２側から背面部１３側へ移動可能になっている。
【００３０】
綴じ具３０は、例えば、金属材料、樹脂材料あるいは紙材料からなり、ベース体１０に複数枚のカレンダー用紙２０を回動可能に保持している。
この綴じ具３０は、複数のリング部材からなるものであっても、複数のリング部が一体に形成された部材であってもよい。
実施形態１のブラックボードカレンダー１００では、ベース体１０の上縁側に４つの孔Ｈが２組形成されており、そのベース体１０の孔Ｈに対応するように、複数枚のカレンダー用紙２０の一辺側に４つの孔Ｈが２組形成されている。
そして、Ｏ字状の４つのリング部が一体に形成されている２つの綴じ具３０によって、複数枚のカレンダー用紙２０がベース体１０に回動可能に綴じられている。
【００３１】
次に、実施形態１のブラックボードカレンダー１００の使用例について説明する。
図６に示すように、ブラックボードカレンダー１００はベース体１０に収納部１６が設けられているので、その収納部１６に蛍光インクや白色インクなどのブラックボード用ペンＰを収納しておくことで、カレンダー用紙２０に行動予定やメモなどを記入する際に、ブラックボード用ペンＰを速やかに取り出して使うことができる。
例えば、図６におけるブラックボードカレンダー１００のカレンダー用紙２０の表面には「１月１６日」に行動予定が記入されている。
なお、収納部１６にイレーザーを収納しておくことで、予定変更時の消去や記入し直しを速やかに行うことができる。
【００３２】
また、実施形態１のブラックボードカレンダー１００のカレンダー用紙２０は、その両面が筆記面に形成されているので、例えば、ベース体１０の背面部１３側に移動されている先月分のカレンダー用紙２０の裏面にもブラックボード用ペンＰでの書き込みを行うことができる。
例えば、カレンダー用紙２０の裏面に、表面には書ききれない行動予定の詳細などを記入したり、カレンダー用紙２０の裏面を伝言板として使用し、メッセージなどを記入したりすることができる。
また、ベース体１０を構成するカレンダー台紙（硬質紙）にＰＰ加工を施しておけば、ベース体１０自体をブラックボードの筆記面とすることができる。
【００３３】
このように、実施形態１のブラックボードカレンダー１００は、蛍光インクや白色インクなどのブラックボード用ペンＰでの記入と消去を繰り返し行うことができるようになっているので、行動予定やメモなどを鮮やかな蛍光インクで装飾性よく記入することや、白黒反転した文字による書き込みを好適に行うことができる。
【００３４】
（実施形態２）
次に、本発明に係るブラックボードカレンダーの実施形態２について説明する。なお、実施形態１と同一部分には同符号を付し、異なる部分についてのみ説明する。
【００３５】
図７（ａ）は、実施形態２のブラックボードカレンダー１００を示す正面図であり、図７（ｂ）、図８は、そのブラックボードカレンダー１００のカレンダー用紙２０を一部破断視して示す正面図である。
【００３６】
実施形態２のブラックボードカレンダー１００は、壁掛けタイプのカレンダーであり、例えば、図７（ａ）（ｂ）に示すように、上縁側に複数の孔Ｈが形成されているカレンダー台紙１１と、一辺側に複数の孔Ｈが形成されている複数枚のカレンダー用紙２０とを備え、そのカレンダー台紙１１と複数枚のカレンダー用紙２０がそれぞれの孔Ｈを貫く綴じ具３０によって綴じられている。
【００３７】
綴じ具３０は、例えば、金属材料、樹脂材料あるいは紙材料からなり、カレンダー台紙１１に複数枚のカレンダー用紙２０を回動可能に保持している。
この綴じ具３０は、複数のリング部材からなるものであっても、複数のリング部が一体に形成された部材であってもよい。
実施形態２のブラックボードカレンダー１００では、カレンダー台紙１１の上縁側に７つの孔Ｈが２組形成されており、そのカレンダー台紙１１の孔Ｈに対応するように、複数枚のカレンダー用紙２０の一辺側に７つの孔Ｈが２組形成されている。
そして、Ｏ字状の７つのリング部が一体に形成されている２つの綴じ具３０によって、複数枚のカレンダー用紙２０がベース体１０に回動可能に綴じられている。
また、左右の綴じ具３０に連通された状態で、左右の綴じ具３０の間に吊り棒３１が設けられている。この吊り棒３１を壁掛けフックにかけるなどして、ブラックボードカレンダー１００を壁面に吊り下げるようになっている。
【００３８】
カレンダー台紙１１は、矩形状の硬質紙（厚台紙）からなる部材である。
特に、このカレンダー台紙１１の下縁側には吊り穴１１ｈが形成されている。
この吊り穴１１ｈには、図７（ｂ）に示すように、ブラックボード用ペンＰを収納可能な収納部として機能するペンケース１７が取り付けられている。例えば、ペンケース１７の係止部１７ａの一部が吊り穴１１ｈに挿し込まれて、カレンダー台紙１１にペンケース１７が横向きに取り付けられている。
こうして、ブラックボード用ペンＰが収納されているペンケース１７が、カレンダー台紙１１の吊り穴１１ｈに設けられている。なお、ブラックボード用ペンＰが収納されているペンケース１７が取り付けられるカレンダー台紙１１の吊り穴１１ｈは、収納部の一部として機能している。
【００３９】
また、図８に示すように、ペンケース１７の蓋部１７ｂの一部が吊り穴１１ｈに挿し込まれて、カレンダー台紙１１にペンケース１７が縦向きに取り付けられていてもよい。
このように、カレンダー台紙１１にペンケース１７を横向きに取り付けたり、縦向きに取り付けたりすることができる。
【００４０】
なお、図中、カレンダー台紙１１を“白”で図示しているが、これは吊り穴１１ｈやペンケース１７を視認し易くするためであり、実際は黒色の硬質紙を用いてカレンダー台紙１１を形成している。黒色のカレンダー台紙１１にＰＰ加工を施しておけば、カレンダー台紙１１自体をブラックボードの筆記面とすることができる。
【００４１】
カレンダー用紙２０は、表面に暦の情報が印刷されている洋紙である。特に、カレンダー用紙２０の表面には、暦に関する情報が黒地に白色の文字で記載されている。
なお、カレンダー用紙２０は黒地に白色の文字が表記されているものに限らず、紺色の洋紙に白色の文字が印刷されていたり、モズグリーン色の洋紙に白色の文字が印刷されていたりしてもよい。つまり、明度が低く暗い色の下地（洋紙）に、明度が高く明るい色の文字が記載されているカレンダー用紙２０であればよい。
このカレンダー用紙２０の下縁側には、カレンダー台紙１１の吊り穴１１ｈと重なる位置に吊り穴２０ｈが形成されている。
また、このカレンダー用紙２０の両面にＰＰ加工（グロスＰＰ加工）が施されており、カレンダー用紙２０の表裏ともブラックボード用ペンによる記入と消去が繰り返し可能な筆記面に形成されている。
【００４２】
このような実施形態２のブラックボードカレンダー１００であっても、蛍光インクや白色インクなどのブラックボード用ペンＰでの記入と消去を繰り返し行うことができるようになっているので、行動予定やメモなどを鮮やかな蛍光インクで装飾性よく記入することや、白黒反転した文字による書き込みを好適に行うことができる。
【００４３】
また、実施形態２のブラックボードカレンダー１００は、吊り棒３１を壁掛けフックにかけて壁面に吊り下げて使用することに限らない。
例えば、図９に示すように、先月分のカレンダー用紙２０を回動させて綴じ具３０の上側に移動させた状態で、その先月分のカレンダー用紙２０の吊り穴２０ｈを壁掛けフックＦにかけて、ブラックボードカレンダー１００を壁面に吊り下げて使用するようにしてもよい。
なお、図９ではカレンダーの表紙を構成しているカレンダー用紙２０の吊り穴２０ｈを壁掛けフックＦにかけており、カレンダーの表紙の裏面と、１月のカレンダーの表面を並べて配置している。
【００４４】
こうすることで、複数枚のカレンダー用紙２０の、一のカレンダー用紙２０の表面と他のカレンダー用紙２０の裏面を並べて配置することができる。
このブラックボードカレンダー１００のカレンダー用紙２０は、その裏面にもブラックボード用ペンＰでの書き込みを行うことができるので、例えば、カレンダー用紙２０の裏面に、表面には書ききれない行動予定の詳細などを記入したり、カレンダー用紙２０の裏面を伝言板として使用し、メッセージなどを記入したりすることができる。
【００４５】
以上のように、本実施形態のブラックボードカレンダー１００は、蛍光インクや白色インクなどのブラックボード用ペンＰでの記入と消去を繰り返し行うことができるようになっているので、行動予定やメモなどを鮮やかな蛍光インクで装飾性よく記入することや、白黒反転した文字による書き込みを好適に行うことができる。
【００４６】
なお、以上の実施の形態においては、カレンダー用紙２０の表面には、暦に関する情報が黒地に白色の文字で記載されているとしたが、本発明はこれに限定されるものではなく、暦に関する情報が黒地に蛍光色など明度が高く明るい色の文字で記載されていてもよい。
【００４７】
また、以上の実施の形態においては、ブラックボードカレンダー１００のベース体１０やカレンダー台紙１１を、黒色の硬質紙を用いて形成するとしたが、本発明はこれに限定されるものではなく、黒以外の色の硬質紙を用いてベース体１０やカレンダー台紙１１を形成してもよい。
【００４８】
また、その他、具体的な細部構造等についても適宜に変更可能であることは勿論である。
【符号の説明】
【００４９】
１０    ベース体（カレンダー台紙）
１１    カレンダー台紙
１１ｈ  吊り穴（収納部）
１２    前面部
１３    背面部
１３ａ  係止スリット
１３ｂ  係止孔
１３ｃ  可撓片
１４    底面部
１４ａ  凸片
１４Ｌ  折り目
１５    姿勢安定部
１６    収納部
１６Ｌ  折り目
１６Ｍ  側面部
１６ａ  凸片
１７    ペンケース（収納部）
１７ａ  係止部
１７ｂ  蓋部
２０    カレンダー用紙
２０ｈ  吊り穴
３０    綴じ具
３１    吊り棒
１００  ブラックボードカレンダー
Ｈ      孔
Ｐ      ブラックボード用ペン
Ｆ      壁掛けフック
【図１】
2018192683.tif 000003
【図２】
2018192683.tif 000004
【図３】
2018192683.tif 000005
【図４】
2018192683.tif 000006
【図５】
2018192683.tif 000007
【図６】
2018192683.tif 000008
【図７】
2018192683.tif 000009
【図８】
2018192683.tif 000010
【図９】
2018192683.tif 000011